(57)【要約】【課題】装飾体を、髪や衣類に留めることを可能とし、且つ髪クリップやピンを用いることができない装飾対象物（バッグや小物等）にも留めることを可能とし、且つ裏面に線材や茎を束ねた芯部が形成されている装飾体に対して適切、且つ容易に取り付けることができる装飾品用留め具、及び当該装飾品用留め具を備えた装飾品、コサージュを提供する。【解決手段】クリップ固定体３１と、クリップ固定体に対して相対的に可動するクリップ可動体３２と、クリップ固定体とクリップ可動体による開口部を閉じる方向に付勢する弾性体と、を有するクリップ３０と、ピン固定体２１と、ピン体２２と、ピン体の先端部を収容可能なホルダ部２３と、を有して装飾対象物に刺し込むことが可能なピン２０と、が板状の連結部材１２に固定されており、ピンが固定されている連結部材の個所の幅は、ピンの幅と同等に形成されている、装飾品用留め具１０。【選択図】図２
0003163776.tif 000002
【実用新案登録請求の範囲】
【請求項１】
クリップ固定体と、前記クリップ固定体に対して相対的に可動するクリップ可動体と、前記クリップ固定体と前記クリップ可動体による開口部を閉じる方向に付勢する弾性体と、を有して前記弾性体の付勢力にて前記クリップ固定体と前記クリップ可動体とで装飾対象物を挟み込むことが可能なクリップと、
ピン固定体と、ピン体と、前記ピン体の先端部を収容可能なホルダ部と、を有して前記ピン体を装飾対象物に刺し込むことが可能なピンと、
板状の連結部材と、を備え、
前記連結部材に、前記ピンと前記クリップとが固定されており、
前記ピンが固定されている前記連結部材の個所における前記ピンの装飾対象物への刺し込み方向に直交する方向のサイズである連結部材幅は、前記ピンにおける前記刺し込み方向に直交する方向のサイズであるピン幅と同等に形成されている、
装飾品用留め具。
【請求項２】
請求項１に記載の装飾品用留め具であって、
前記連結部材の形状は略矩形であり、
前記ピンは、前記刺し込み方向と、前記連結部材の長手方向とが平行となるように、前記連結部材の一方端側に固定されており、
前記クリップは、前記開口部を開口して装飾対象物を挟み込む際の装飾対象物への当該クリップの差し込み方向と、前記連結部材の長手方向とが交差する方向となるように、前記連結部材の他方端側に固定されている、
装飾品用留め具。
【請求項３】
請求項１に記載の装飾品用留め具であって、
前記連結部材の形状は略矩形であり、
前記ピンは、前記刺し込み方向と、前記連結部材の長手方向とが平行となるように、前記連結部材の一方端側に固定されており、
前記クリップは、前記開口部を開口して装飾対象物を挟み込む際の装飾対象物への当該クリップの差し込み方向と、前記連結部材の長手方向とが平行となるように、前記連結部材の他方端側に固定されている、
装飾品用留め具。
【請求項４】
請求項１に記載の装飾品用留め具であって、
前記連結部材の形状は略コの字形であり、
前記ピンは、前記刺し込み方向と、前記連結部材におけるコの字形の平行部分の一方側の長手方向とが平行となるように、前記連結部材におけるコの字形の平行部分の一方側に固定されており、
前記クリップは、前記開口部を開口して装飾対象物を挟み込む際の装飾対象物への当該クリップの差し込み方向と、前記連結部材におけるコの字形の平行部分の他方側の長手方向とが平行となるように、前記連結部材におけるコの字形の平行部分の他方側に固定されている、
装飾品用留め具。
【請求項５】
請求項１〜４のいずれか一項に記載の装飾品用留め具と、
装飾体と、を備えた装飾品であって、
前記ピンの一部または前記クリップの一部または前記連結部材の一部が、前記装飾体の一部に固定されている、
装飾品。
【請求項６】
請求項１〜４のいずれか一項に記載の装飾品用留め具と、
装飾体としての生花または造花と、を備えたコサージュであって、
前記生花または前記造花の茎部、あるいは前記生花または前記造花を束ねた芯部、に沿って、前記ピンの一部または前記クリップの一部または前記連結部材の一部が固定されている、
コサージュ。
【考案の詳細な説明】
【技術分野】
【０００１】
本考案は、コサージュ等の装飾体を、装飾対象物に留めるための装飾品用留め具、及び当該装飾品用留め具を備えた装飾品、コサージュに関する。
【背景技術】
【０００２】
近年では、コサージュ、ブローチ、髪飾り等、種々の装飾品を人体や衣類等に取り付けて装飾に利用している。
例えば特許文献１に記載されている従来技術には、棒状の基部を有して基部の一方端に装飾体を設けるとともに当該装飾体の近傍の基部にピンを備えた「かんざし（髪飾り）」が開示されている。当該「かんざし」は、基部の他方端を髪に挿すことで髪かざりとして利用できるとともに、基部の一方端のピンを用いて衣類に取り付けることでブローチとして利用することもできる。また基部の他方端に、バネ材で形成された平板状の髪クリップを取り付け、棒状の基部の一方端にピン、他方端に髪クリップ、を備えた「かんざし」の形態も開示されている。
また特許文献２に記載されている従来技術には、造花の茎と造葉の茎と安全ピンの固定側とを粘着テープで巻いて一体化し、安全ピンの上方にリボンを取り付けたコサージュが開示されている。当該コサージュは、安全ピンを用いて衣類に取り付けて利用することができる。
また、他の従来技術の例として、図３（Ａ）及び（Ｂ）に示すように、椀形状のベース部材１１２の凸状の面に、ピン１２０とクリップ１３０とが固定された装飾品用留め具１１０が知られている。そして図３（Ｂ）に示すように、従来の装飾品用留め具１１０のベース部材１１２の凹状の面と、平面状の裏面を有する装飾体の裏面とを、山盛りした接着剤で固定した装飾品Ｓが知られている。この場合、椀形状であるベース部材１１２の凹状の面に接着剤を盛ることで、接着剤がベース部材１１２の外部にはみ出さないようにしている。
更に、他の従来技術の例として、図３（Ｃ）に示すように、裏面が平面状でなく、茎部や種々の線材等を束ねた芯部Ｃ１が形成されている装飾体に対して、装飾体の裏側の芯部Ｃ１の根元側（装飾体に近い側）にピン１２０を固定し、芯部Ｃ１を避けた装飾体の裏側の中央近傍にフェルト材等の取り付けベース部材Ｆを接着剤で固定し、その取り付けベース部材Ｆにクリップ１３０を固定した従来のコサージュＴが知られている。
【先行技術文献】
【特許文献】
【０００３】
【特許文献１】特開２００３−９９３５号公報
【特許文献２】特開２０００−１３６４１７号公報
【考案の概要】
【考案が解決しようとする課題】
【０００４】
特許文献１に記載された「かんざし」は、髪に留めることと衣類に留めることが可能であるが、基部を挿し込むことや髪クリップやピンを用いることができないバッグや小物等の装飾に用いることはできない。
また特許文献２に記載されたコサージュは、留め具として安全ピンを備えているのみであるため、髪に留めることはできない。また特許文献１と同様に、ピンを刺すことができないバッグや小物等の装飾に用いることはできない。
また図３（Ａ）に示す従来の装飾品用留め具１１０は、１枚毎のパーツを複数重ねて形成されて裏面が平面状の装飾体であれば、装飾品用留め具１１０の凹状の面に接着剤を山盛りして、装飾体の裏面と接着することができる。しかし、図３（Ｃ）に示すように裏面に線材や茎を束ねた芯部Ｃ１が突出している装飾体の場合には凹凸形状の起伏が大きく、接着剤で接着することができない。
また図３（Ｃ）に示す従来のコサージュＴでは、芯部Ｃ１にピン１２０を固定（芯部Ｃ１とピン１２０をテープ等にて一緒に巻いて固定）し、芯部Ｃ１から離れた位置（凹凸の少ない位置）に取り付けベース部材Ｆを接着剤にて接着して当該取り付けベース部材Ｆにクリップ１３０を接着してピン１２０とクリップ１３０とを備えたコサージュＴを構成し、衣類、髪、バッグ等、種々の装飾対象物にコサージュＴを留めることができる。しかし、取り付けベース部材Ｆを接着して更にクリップ１３０を接着等して固定する手間が多くかかるとともに、クリップ１３０（または取り付けベース部材Ｆ）の固定状態が不安定になりやすく、クリップ１３０で留めた場合にコサージュＴを安定して装飾対象物に留めることができなくなる可能性がある。
【０００５】
本考案は、このような点に鑑みて創案されたものであり、装飾体を、髪や衣類に留めることを可能とし、且つ髪クリップやピンを用いることができない装飾対象物（バッグや小物等）にも留めることを可能とし、且つ裏面に線材や茎を束ねた芯部が形成されている装飾体に対して適切、且つ容易に取り付けることができる装飾品用留め具、及び当該装飾品用留め具を備えた装飾品、コサージュを提供することを課題とする。
【課題を解決するための手段】
【０００６】
上記課題を解決するため、本考案に係る装飾品用留め具、及び当該装飾品用留め具を備えた装飾品、コサージュは次の手段をとる。
まず、本考案の第１の考案は、クリップ固定体と、前記クリップ固定体に対して相対的に可動するクリップ可動体と、前記クリップ固定体と前記クリップ可動体による開口部を閉じる方向に付勢する弾性体と、を有して前記弾性体の付勢力にて前記クリップ固定体と前記クリップ可動体とで装飾対象物を挟み込むことが可能なクリップと、ピン固定体と、ピン体と、前記ピン体の先端部を収容可能なホルダ部と、を有して前記ピン体を装飾対象物に刺し込むことが可能なピンと、板状の連結部材と、を備える。
そして、前記連結部材に、前記ピンと前記クリップとが固定されており、前記ピンが固定されている前記連結部材の個所における前記ピンの装飾対象物への刺し込み方向に直交する方向のサイズである連結部材幅は、前記ピンにおける前記刺し込み方向に直交する方向のサイズであるピン幅と同等に形成されている、装飾品用留め具である。
【０００７】
この第１の考案は、板状の連結部材にピンとクリップとが固定されて一体となるように構成された装飾品用留め具である。
これにより、装飾対象物が髪である場合はクリップを用いて所望する位置に装飾品を留めることが可能であり、装飾対象物が衣類である場合はピン（クリップも可）を用いて所望する位置に装飾品を留めることが可能であり、ピンを刺すことができないバッグや小物等にはクリップを用いて装飾品を留めることが可能である。
また、ピンの幅（刺し込み方向に直交する方向のサイズ）と、ピンが固定されている個所の連結部材の幅が同等であるので、装飾体の芯部にテープ等を用いてピンを固定することが容易である。
【０００８】
次に、本考案の第２の考案は、上記第１の考案に係る装飾品用留め具であって、前記連結部材の形状は略矩形であり、前記ピンは、前記刺し込み方向と、前記連結部材の長手方向とが平行となるように、前記連結部材の一方端側に固定されており、前記クリップは、前記開口部を開口して装飾対象物を挟み込む際の装飾対象物への当該クリップの差し込み方向と、前記連結部材の長手方向とが交差する方向となるように、前記連結部材の他方端側に固定されている、装飾品用留め具である。
【０００９】
この第２の考案によれば、裏面に線材や茎を束ねた芯部が形成されている装飾体に対して、芯部にピン（またはクリップ）を、適切に、且つ容易に取り付けることができる装飾品用留め具を実現することができる。
【００１０】
次に、本考案の第３の考案は、上記第１の考案に係る装飾品用留め具であって、前記連結部材の形状は略矩形であり、前記ピンは、前記刺し込み方向と、前記連結部材の長手方向とが平行となるように、前記連結部材の一方端側に固定されており、前記クリップは、前記開口部を開口して装飾対象物を挟み込む際の装飾対象物への当該クリップの差し込み方向と、前記連結部材の長手方向とが平行となるように、前記連結部材の他方端側に固定されている、装飾品用留め具である。
【００１１】
この第３の考案によれば、裏面に線材や茎を束ねた芯部が形成されている装飾体に対して、芯部にピン（またはクリップ）を、適切に、且つ容易に取り付けることができる装飾品用留め具を実現することができる。
【００１２】
次に、本考案の第４の考案は、上記第１の考案に係る装飾品用留め具であって、前記連結部材の形状は略コの字形であり、前記ピンは、前記刺し込み方向と、前記連結部材におけるコの字形の平行部分の一方側の長手方向とが平行となるように、前記連結部材におけるコの字形の平行部分の一方側に固定されており、前記クリップは、前記開口部を開口して装飾対象物を挟み込む際の装飾対象物への当該クリップの差し込み方向と、前記連結部材におけるコの字形の平行部分の他方側の長手方向とが平行となるように、前記連結部材におけるコの字形の平行部分の他方側に固定されている、装飾品用留め具である。
【００１３】
この第４の考案によれば、裏面に線材や茎を束ねた芯部が形成されている装飾体に対して、芯部にピン（またはクリップ）を、適切に、且つ容易に取り付けることができる装飾品用留め具を実現することができる。
【００１４】
次に、本考案の第５の考案は、上記第１〜第４のいずれかの考案に係る装飾品用留め具と、装飾体と、を備えた装飾品であって、前記ピンの一部または前記クリップの一部または前記連結部材の一部が、前記装飾体の一部に固定されている、装飾品である。
【００１５】
この第５の考案によれば、髪、衣類、ピンを刺すことができないバッグや小物等、種々の装飾対象物を装飾することができる装飾品を実現することができる。
また、裏面に線材や茎を束ねた芯部が形成されている装飾体に対して、装飾品用留め具が、適切に、且つ容易に取り付けられた装飾品を実現することができる。
【００１６】
次に、本考案の第６の考案は、上記第１〜第４のいずれかの考案に係る装飾品用留め具と、装飾体としての生花または造花と、を備えたコサージュであって、前記生花または前記造花の茎部、あるいは前記生花または前記造花を束ねた芯部、に沿って、前記ピンの一部または前記クリップの一部または前記連結部材の一部が固定されている、コサージュである。
【００１７】
この第６の考案によれば、髪、衣類、ピンを刺すことができないバッグや小物等、種々の装飾対象物に留めることができるコサージュを実現することができる。
また、裏面に線材や茎を束ねた芯部が形成されている装飾体に対して、装飾品用留め具が、適切に、且つ容易に取り付けられたコサージュを実現することができる。
【図面の簡単な説明】
【００１８】
【図１】本考案の装飾品用留め具１０を備えたコサージュＣの一実施の形態を説明する外観図である。
【図２】本考案の装飾品用留め具１０の構造を説明する図である。
【図３】従来の装飾品用留め具１１０（Ａ）、及び当該装飾品用留め具１１０を取り付けた装飾品Ｓ（Ｂ）、ピン１２０及びクリップ１３０のそれぞれを別々に取り付けた従来のコサージュＴ（Ｃ）の例を説明する図である。
【考案を実施するための形態】
【００１９】
以下に本考案を実施するための形態を図面を用いて説明する。図１（Ａ）〜（Ｃ）は、本考案の装飾品用留め具１０を備えたコサージュＣの一実施の形態における外観図を示しており、図１（Ａ）は正面図、図１（Ｂ）は側面図、図１（Ｃ）は裏面図を示している。
【００２０】
●［コサージュＣの外観（図１）］
図１（Ａ）〜（Ｃ）に示すように、本考案のコサージュＣは、装飾体としての生花または造花を備えている。図１（Ａ）〜（Ｃ）の例に示すコサージュＣの装飾体は、複数の花弁Ｃａ、複数の葉部Ｃｂ、複数の付属パーツＣｃ等のそれぞれが針金等の線材の一方端に形成されており、当該線材の他方端を束ねて芯部Ｃ１を形成することで、１つの装飾体として形成されている。
従って、一般的なコサージュと同様に、芯部Ｃ１は装飾体の裏面の中央近傍から突出している。このような装飾体の場合、図３（Ａ）に示す従来の装飾品用留め具１１０を、芯部Ｃ１に接着することができない（芯部Ｃ１が突出しており平面状でないため、接着剤で接着するのが困難）。また、図３（Ｃ）の従来のコサージュＴに示すように、ピン１２０とクリップ１３０とを別々に装飾体に固定するのは手間がかかるとともに、クリップ１３０の固定が不安定になり易く、好ましくない。
そこで、以降に説明する本考案の装飾体用留め具１０を用いることで、芯部Ｃ１に、適切、且つ容易にピンとクリップを取り付けることが可能なコサージュＣを実現することができる。
【００２１】
また、図３（Ａ）に示す従来の装飾品用留め具１１０は、装飾体に取り付けた際、ピン１２０とクリップ１３０が、椀状のベース部材１１２の厚さ分、装飾体から離れるので、装飾対象物に留めた際、装飾体が装飾対象物からやや離れた位置（浮いた位置）に留められ、フィット感がやや劣る。
これに対して以降に説明する本考案の装飾品用留め具１０を用いた場合、装飾体により近い位置にピン２０とクリップ３０を固定することができるので、装飾対象物に留めた際、より高いフィット感を得ることができる。
【００２２】
なお、コサージュＣは、本考案の装飾品用留め具１０のピン２０の一部またはクリップ３０の一部が、生花（または造花）の茎部、あるいは生花または造花を束ねた芯部Ｃ１に沿って固定されている。
図１に示す例では、ピン２０のピン固定体２１（図２（Ｂ）参照）が芯部Ｃ１の根元の近傍に配置されて粘着テープ等にて巻かれて固定されており、装飾品用留め具１０が、正面から見た場合に装飾体に隠れる適切な位置に固定されている。また、クリップ３０が芯部Ｃ１の根元に配置されることで、装飾体のほぼ中央（重心位置の近傍）にクリップ３０が配置され、装飾対象物に留めた際の安定度が高い。
なお、装飾品用留め具１０は、コサージュに限定されず、ブローチや髪飾り等、種々の装飾体に取り付けて、装飾品を構成することができる。
【００２３】
●［装飾品用留め具１０の構造（図２）］
図２（Ｂ）は、ピン２０と、クリップ３０と、板状の連結部材１２とのそれぞれを、装飾品用留め具１０として一体にする前の各部材の形状の例を示している。また図２（Ａ）は、装飾品用留め具１０として一体とした状態の外観の例を示している。
図２（Ｂ）に示すように、クリップ３０は、クリップ固定体３１と、クリップ固定体３１に対して相対的に可動するクリップ可動体３２と、クリップ固定体３１とクリップ可動体３２による開口部を閉じる方向に付勢する弾性体（図示省略）とを有している。
ピン２０は、ピン固定体２１と、ピン体２２と、ピン体２２の先端部を収容可能なホルダ部２３とを有している。
連結部材１２は、平板状の形状を有しており、クリップ固定体３１の裏側と固定され、且つピン固定体２１の裏側と固定される。
【００２４】
なお、クリップ固定体３１及びクリップ可動体３２は髪に留め易くするための緩やかな湾曲形状を有している。
また、クリップ固定体３１またはクリップ可動体３２の少なくとも一方には、装飾対象物を挟み込む個所に、のこぎり状の歯部を有し、挟み込んだ装飾対象物からのずれを抑制することができる。
そして図２（Ａ）に示すように、装飾品用留め具１０は、ピン２０とクリップ３０とが板状の連結部材１２に溶接（例えばろう付け）や接着剤等にて固定されて一体となるように構成されている。
装飾品用留め具１０は種々の装飾体に取り付けられて装飾品を形成し、上記のピン２０とクリップ３０を有することで、装飾対象物が衣類の場合はピン２０（またはクリップ３０）を用いて装飾品を留めることが可能である。また、装飾対象物が髪である場合はクリップ３０を用いて装飾品を留めることが可能である。また、装飾対象物がピンを刺すことができない物（バッグや小物等）の場合はクリップ３０を用いて装飾品を留める（バッグの開口部や取っ手等を挟み込む）ことが可能である。このように装飾品用留め具１０は、種々の装飾対象物に対して装飾品を留めることが可能である。
【００２５】
装飾品がコサージュＣである場合、粘着テープを用いてコサージュＣに装飾品用留め具１０を固定する場合が多いが、粘着テープは髪に付くと好ましくないので、図１の例では、ピン２０の一部（この場合、ピン固定体２１）とコサージュＣの芯部Ｃ１とを粘着テープで巻いて固定している。なお、クリップ３０の一部をテープ等にて芯部Ｃ１に固定してもよいし、連結部材１２の一部を粘着テープ等にて芯部Ｃ１に固定してもよい。
また、装飾品がブローチ等である場合は、ピン２０の一部またはクリップ３０の一部または連結部材１２の一部を、接着剤等にて装飾体の一部に固定すればよい。
【００２６】
次に、ピン２０とクリップ３０とを一体となるように構成した装飾品用留め具１０の、第１〜第３の実施の形態について説明する。
なお、第１〜第３の実施の形態のいずれも、ピン２０（ピン固定体２１）が固定されている連結部材１２の個所におけるピン２０の装飾対象物への刺し込み方向に直交する方向のサイズ（ピンが固定される個所における連結部材１２の幅）は、ピン２０における刺し込み方向に直交する方向のサイズ（ピン２０の幅）と同等である。
これにより、ピン２０を芯部Ｃ１と一緒にテープ等で巻く際、連結部材１２が干渉することなく、容易にピン２０を芯部Ｃ１に固定することができる。
【００２７】
●［装飾品用留め具１０の第１の実施の実施の形態（図２（Ａ）、（Ｂ））］
図２（Ａ）及び（Ｂ）に示す第１の実施の形態では、板状の連結部材の形状が略矩形であり、ピン２０とクリップ３０とがＴ字形に配置され、ピン２０の刺し込み方向ＸＰと、クリップ３０の差し込み方向ＸＣとが交差する方向である。なお、ピン２０の刺し込み方向ＸＰは、装飾対象物にピン（ピン体２２）を刺し込む方向であり、クリップ３０の差し込み方向ＸＣは、クリップ３０の開口部を開口して装飾対象物を挟み込む際にクリップ３０を装飾対象物に差し込む方向である。
ピン２０は、刺し込み方向ＸＰと、連結部材１２の長手方向とが平行となるように、連結部材１２の一方端側に固定されている。
クリップ３０は、差し込み方向ＸＣと、連結部材１２の長手方向とが交差する方向（図２（Ａ）の例では直交する方向）となるように、連結部材１２の他方端側に固定されている。
【００２８】
図２（Ａ）に示す例では、ピン２０の幅方向（刺し込み方向に直交する方向）に連結部材１２が突出していないので、ピン２０の一部（ピン固定体２１）と芯部Ｃ１とを粘着テープ等で束ねるように固定することが容易であり、クリップ３０に粘着テープ等が付かないように固定することができる。
なお、クリップ３０の一部（クリップ固定体３１）と芯部Ｃ１とをテープ等で固定してもよいし、ピン２０とクリップ３０との間隔をあけて、連結部材１２の一部と芯部Ｃ１とをテープ等にて固定してもよい。
そしてピン２０とクリップ３０とをＴ字状に組み合せることで、ピン２０の刺し込む方向ＸＰと、クリップ３０の差し込み方向ＸＣは、平行でなく直交する方向（交差する方向）に設定されているので、種々の方向から、種々の装飾対象物に対して、装飾品を固定することができる。
なお、連結部材１２の形状を完全な矩形でなくＴ字形やＬ字形にしてもよいが、Ｔ字形やＬ字形も略矩形とみなす。
【００２９】
●［装飾品用留め具１０の第２の実施の実施の形態（図２（Ｃ）の左図）］
図２（Ｃ）の左図に示す第２の実施の形態では、板状の連結部材１２の形状が略矩形であり、ピン２０とクリップ３０とが直列に配置され、ピン２０の刺し込み方向ＸＰと、クリップ３０の差し込み方向ＸＣとが同一方向（平行）である。
ピン２０は、刺し込み方向ＸＰと、連結部材１２の長手方向とが平行となるように、連結部材１２の一方端側に固定されている。
クリップ３０は、差し込み方向ＸＣと、連結部材１２の長手方向とが平行となるように、連結部材１２の他方端側に固定されている。
この場合、ピン２０の刺し込み方向ＸＰとクリップ３０の差し込み方向ＸＣが同一方向あるいは向き合う方向となるように、ピン２０とクリップ３０とが直列に配置され、第１の実施の形態と同様に、ピン２０の一部（またはクリップ３０の一部または連結部材１２の一部）を芯部Ｃ１にテープ等で容易に固定することができる。
【００３０】
●［装飾品用留め具１０の第３の実施の実施の形態（図２（Ｃ）の右図）］
図２（Ｃ）の右図に示す第３の実施の形態では、板状の連結部材１２の形状が略コの字形であり、ピン２０とクリップ３０とが並列に配置され、ピン２０の刺し込み方向ＸＰと、クリップ３０の差し込み方向ＸＣとが同一方向（平行）である。
ピン２０は、刺し込み方向ＸＰと、連結部材１２におけるコの字形の平行部分の一方側の長手方向とが平行となるように、連結部材１２におけるコの字形の平行部分の一方側に固定されている。
クリップ３０は、差し込み方向ＸＣと、連結部材１２におけるコの字形の平行部分の他方側の長手方向とが平行となるように、連結部材１２におけるコの字形の平行部分の他方側に固定されている。
この場合、ピン２０の刺し込み方向ＸＰとクリップ３０の差し込み方向ＸＣとが平行となるように、ピン２０とクリップ３０とが並列に配置され、第１の実施の形態と同様に、ピン２０の一部（またはクリップ３０の一部または連結部材１２の一部）を芯部Ｃ１にテープ等で容易に固定することができる。
【００３１】
第１の実施の形態、及び第２の実施の形態にて説明した装飾品用留め具１０は、並行配置した第３の実施の形態の装飾品用留め具１０に対して、ピン２０を操作する際に操作者の指がクリップ３０に干渉しにくい（クリップ３０を操作する際に操作者の指がピン２０に干渉しにくい）ので、留める際の操作がし易い。
【００３２】
本考案の装飾品用留め具１０、及び当該装飾品用留め具１０を備えた装飾品、コサージュＣは、本実施の形態で説明した外観、形状、構造等に限定されず、本考案の要旨を変更しない範囲で種々の変更、追加、削除が可能である。
また、コサージュＣのデザインは、本実施の形態にて示したデザインに限定されず、種々のデザインとすることができる。
また、本実施に形態にて説明した装飾品用留め具１０は、コサージュに限定されず、ブローチ、髪飾り等、種々の装飾体の一部に固定して装飾品を構成することが可能であり、衣類、髪、バッグや小物等、種々の装飾対象物に留めることが可能である。
【符号の説明】
【００３３】
１０      装飾品用留め具
１２      連結部材
２０      ピン
２１      ピン固定体
２２      ピン体
２３      ホルダ部
３０      クリップ
３１      クリップ固定体
３２      クリップ可動体
Ｃ        コサージュ
Ｃ１      芯部
ＸＰ      （ピン２０の）刺し込み方向
ＸＣ      （クリップ３０の）差し込み方向
【図１】
0003163776.tif 000003
【図２】
0003163776.tif 000004
【図３】
0003163776.tif 000005